(57)【要約】【課題】クーポン券がなくてもクーポン券バーコード登録を可能とし、クーポン券の発行も行えるクーポン取引処理装置を提供する。【解決手段】クーポン番号を入力する入力部と、クーポン番号に対応したクーポン情報をテーブル形式で蓄積したクーポンテーブル記憶部と、クーポンを発行する印字部と、入力部、クーポンテーブル記憶部及び印字部に接続して情報処理を実行する情報処理部と、を備え、情報処理部が、クーポン番号に基づいてクーポンバーコードを生成する処理と、生成したクーポンバーコードに基づいてクーポンテーブル記憶部にアクセスしてクーポンバーコード検索する処理と、クーポンバーコード検索によりクーポンテーブル記憶部からクーポン情報を取得する処理と、取得したクーポン情報によりクーポン登録を行い、クーポン内容に応じたクーポン取引を行う処理と、取得したクーポン情報により、印字部にて該クーポンを発行する処理と、を実行するクーポン取引処理装置。【選択図】図２
2013054663.tif 000002
【特許請求の範囲】
【請求項１】
クーポン番号を入力する入力部と、
前記クーポン番号に対応したクーポン情報をテーブル形式で蓄積したクーポンテーブル記憶部と、
クーポンを発行する印字部と、
前記入力部、前記クーポンテーブル記憶部及び前記印字部に接続して情報処理を実行する情報処理部と、
を備え、
前記情報処理部が、
前記クーポン番号に基づいてクーポンバーコードを生成する処理と、
前記生成したクーポンバーコードに基づいて前記クーポンテーブル記憶部にアクセスしてクーポンバーコード検索する処理と、
前記クーポンバーコード検索により前記クーポンテーブル記憶部からクーポン情報を取得する処理と、
前記取得したクーポン情報によりクーポン登録を行い、クーポン内容に応じたクーポン取引を行う処理と、
前記取得したクーポン情報により、前記印字部にて該クーポンを発行する処理と、
を実行するクーポン取引処理装置。
【請求項２】
表示面に情報を表示する表示部を備える請求項１記載のクーポン取引処理装置。
【請求項３】
クーポン取引処理装置は、ＰＯＳ端末装置とストアコントローラを含む請求項１又は２記載のクーポン取引処理装置。
【請求項４】
前記クーポンテーブル記憶部は、ストアコントローラに接続するサーバに蓄積される請求項３記載のクーポン取引処理装置。
【請求項５】
前記クーポンバーコードは、その一部にマスク処理を施して、前記クーポンテーブルを検索する請求項１乃至請求項４のいずれか１項記載のクーポン取引処理装置。
【請求項６】
前記クーポンテーブルには、体系化したクーポン情報を含む請求項１乃至請求項５のいずれか１項記載のクーポン取引処理装置。
【請求項７】
クーポン番号を入力する入力部と、前記クーポン番号に対応したクーポン情報をテーブル形式で蓄積したクーポンテーブル記憶部と、クーポンを発行する印字部と、
前記入力部、前記クーポンテーブル記憶部及び前記印字部と接続して情報処理を実行する情報処理部と、を備えるクーポン取引処理装置におけるクーポン取引処理方法であって、
前記クーポン番号を入力し、
入力した前記クーポン番号に基づいてクーポンバーコードを生成し、
前記生成したクーポンバーコードに基づいて前記クーポンテーブル記憶部にアクセスしてクーポンバーコード検索し、
前記クーポンバーコード検索により前記クーポンテーブル記憶部からクーポン情報を取得し、
前記取得したクーポン情報によりクーポン登録を行い、クーポン内容に応じたクーポン取引を行い、
前記取得したクーポン情報により、前記印字部にて該クーポンを発行するクーポン取引処理方法。
【発明の詳細な説明】
【技術分野】
【０００１】
本発明の実施形態は、クーポン取引処理装置及びクーポン取引処理方法に関する。
【背景技術】
【０００２】
販売促進等の観点から、クーポンを使用するクーポン取引を行う店舗が増えている。例えば、量販店、飲食店、専門店、コンビニエンスストアである。
【０００３】
これらの店舗におけるクーポン取引は、顧客の持っているクーポン券に印字等されたバーコードをスキャナでスキャンした後、マニュアル登録することで、クーポン券の登録が行われている。
【０００４】
そのため、クーポン券を所持していない顧客は、クーポン取引を利用することは出来なかった。
【先行技術文献】
【特許文献】
【０００５】
【特許文献１】特開２００８−２４２９５６号公報
【特許文献２】特開２００６−３１８１２５号公報
【発明の概要】
【発明が解決しようとする課題】
【０００６】
本発明が解決しようとする課題は、クーポン券がなくてもクーポン券バーコード登録を可能とし、クーポン券の発行も行えるクーポン取引処理装置及びクーポン取引処理方法を提供することである。
【課題を解決するための手段】
【０００７】
実施形態のクーポン取引処理装置は、クーポン番号を入力する入力部と、前記クーポン番号に対応したクーポン情報をテーブル形式で蓄積したクーポンテーブル記憶部と、クーポンを発行する印字部と、前記入力部、前記クーポンテーブル記憶部及び前記印字部に接続して情報処理を実行する情報処理部と、を備え、前記情報処理部が、前記クーポン番号に基づいてクーポンバーコードを生成する処理と、前記生成したクーポンバーコードに基づいて前記クーポンテーブル記憶部にアクセスしてクーポンバーコード検索する処理と、前記クーポンバーコード検索により前記クーポンテーブル記憶部からクーポン情報を取得する処理と、前記取得したクーポン情報によりクーポン登録を行い、クーポン内容に応じたクーポン取引を行う処理と、前記取得したクーポン情報により、前記印字部にて該クーポンを発行する処理と、を実行する。
【図面の簡単な説明】
【０００８】
【図１】ＰＯＳ端末の概観を示す図である。
【図２】本実施形態に係るクーポン取引処理装置の操作シーケンスを示す図である。
【図３】クーポンバーコード作成処理の流れを示すフローチャートである。
【図４】クーポンバーコードの検索の流れを示すフローチャートである。
【発明を実施するための形態】
【０００９】
以下、本発明の一実施の形態について、図面を参照して説明する。尚、各図において同一箇所については同一の符号を付すとともに、重複した説明は省略する。
【００１０】
本実施形態に係るクーポン取引処理装置は、複数のアイテム（商品品目）を取り扱い、メニュー一覧形式で管理する、例えばＰＯＳシステムで適用することができる。
【００１１】
ＰＯＳシステムは、それぞれ商品のバーコードを読み取るためのスキャナを備えた複数台のＰＯＳ端末、その上位機として機能するストアコントローラ、各種帳票を印刷するためのプリンタを制御するプリンタサーバがネットワークを介して接続されている。 
ＰＯＳシステムが構築される店舗では、販売対象の各種商品に対して、その商品に関する各種情報がコード化されて示されるバーコード（識別データ）が各々の商品に付与されている。バーコードには、商品の価格を示す商品データが含まれない。このため、各種商品の商品コードに対応して価格データがプリセットされた商品マスタファイルがストアコントローラに記憶されている。ＰＯＳ端末は、スキャナで読み取ったバーコードのデータから商品コードを抽出し、この商品コードに対応して設定された価格データをストアコントローラに問い合わせ、取得した価格データに基づいて買上商品の精算を行うとともに、買上商品の販売記録を示す販売データを生成してこれを記憶することにより、買上商品の販売登録を行う。さらに、多様な商品の販売促進等のため、値引きが行われる。
【００１２】
図１は、ＰＯＳ端末１の概観を示す図である。図１に示すように、ＰＯＳ端末１は、現金等を収容するためのドロワ２の上に載置されており、このドロワ２の引出し２ａの開閉を制御する。ＰＯＳ端末１には、キーボード３とモードスイッチ４とが設けられているとともにオペレータ用ディスプレイ５が取り付けられている。背面側には、客向けに情報を表示するためのタッチパネル付客用ディスプレイ６が取り付けられている。また、レシート及びジャーナルを印字するプリンタ７が内蔵されている。プリンタ７によって印字されたレシートがＰＯＳ端末１の正面側に形成されたレシート発行口８から発行されるようになっている。ＰＯＳ端末１には、上述したように、商品などに添付されたバーコードを読み取るためのスキャナ９が接続されている。ディスプレイ５は、オペレータがタッチ式の操作入力を行うことができるように、例えば、人感センサを組み込んだタッチパネル式ディスプレイが好適である。
【００１３】
ＰＯＳ端末１は、情報処理を実行する情報処理部としてのマイクロコンピュータ（図示せず。以下、マイコンという。）を備える。マイコンは、各種演算処理を実行し各部を制御するＣＰＵ（図示せず。）に、プログラム等の固定データを固定的に記憶保存するＲＯＭ（図示せず。）と、可変データを書き換え自在に記憶してワークエリアとして使用されるＲＡＭ（図示せず。）とがバス接続されて構成されている。
【００１４】
ＰＯＳ端末１のＣＰＵには、上述したドロワ２、キーボード３、モードスイッチ４、オペレータ用ディスプレイ５、客用ディスプレイ６、プリンタ７がいずれも各種の入出力回路を介して接続されている。これらは、ＣＰＵによる制御を受ける。
【００１５】
ＰＯＳ端末１１のＣＰＵには、ＨＤＤ（図示せず。）が接続されている。ＨＤＤには、プログラムや各種ファイルが記憶されている。ＨＤＤに記憶されているプログラムや各種ファイルは、ＰＯＳ端末１の起動時に、その全部又は一部がＲＡＭにコピーされて使用される。ＨＤＤに記憶されているプログラムの一例は、商品販売データ処理用のプログラム（図示せず。）である。ＨＤＤに記憶されているファイルの一例は、ストアコントローラ（図示せず。）から配信されて格納されている商品マスタファイル（図示せず。）である。 
商品マスタファイルは、「商品コード」に関連付けてその商品コードによって特定される商品の商品情報を記憶するファイルである。「商品コード」は、１３桁の数字であるＪＡＮコード、又は、２６桁の数字であるインストアコードである。商品情報は、商品コードによって特定される商品についての「属性」、「商品名」、「単価」、「値割引」、及び、「税」である。「属性」は、その商品の商品属性である。例えば、その商品が未成年者への販売が禁じられている商品である場合には「２０禁」という属性が記憶される。「商品名」は、その商品の名称である。「単価」は、その商品の単価である。例えば、「１８０」、「１５０」等の数字が記憶される。「値割引」は、対応する「単価」に対しての値引割引についての情報である。例えば、「１５０（円）」である「単価」に対応させて「値割引」として「１０％割引」が記憶されている場合には、実際の単価は１３５円となる。「税」は、対応する「単価」が内税であるか否かかについての情報である。内税であれば「内」が記憶される。この場合、「単価」は消費税込みの金額である。
【００１６】
ＰＯＳ端末１のＣＰＵには、ストアコントローラとデータ通信を実行するための通信インターフェース（図示せず。）が入出力回路（図示せず。）を介して接続されている。ストアコントローラは、店舗のバックヤード等に設置されている。ストアコントローラのＨＤＤ（図示せず。）には、ＰＯＳ端末１に配信される商品マスタファイルが格納されている。
【００１７】
ＰＯＳ端末１のディスプレイ５には、本実施形態に係るクーポン取引の入力画面が表示される。
【００１８】
図２は、本実施形態に係るクーポン取引処理装置の操作シーケンスを示す図である。
【００１９】
まず、顧客が購入希望の商品をレジに持って行くが、その際、クーポン取引を利用する場合には、レジにいるキャッシャーにクーポン番号を伝える。キャッシャーは、ＰＯＳ端末１を操作して、顧客が購入する商品の登録を行う。併せて、キャッシャーはクーポン番号を登録する。
【００２０】
ＰＯＳ端末１は、クーポン番号の登録を受け付けると、その情報をストアコントローラに送信し、クーポンバーコードを作成する。
【００２１】
図３は、クーポンバーコード作成処理の流れを示すフローチャートである。
【００２２】
まず、キャッシャーの入力によりクーポン番号を取得する（ステップＳ３１）。図３に示す例では、クーポン番号は９９９となっている（ステップＳ３２）。取得したクーポン番号に基づいて、クーポン番号を含むクーポン体系バーコードを作成する。図３に示す例では、クーポンバーコード体系は、“１１１ＡＡ９９９ＢＢＢＢｃ／ｄ”となっている。
【００２３】
ＰＯＳ端末１は、作成したクーポンバーコードを検索するため、ストアコントローラを介してクーポンテーブル記憶部にアクセスする。クーポンテーブル記憶部は、例えばストアコントローラに接続するサーバ（図示しない。）に設けることができる。
【００２４】
図４は、クーポンバーコードの検索の流れを示すフローチャートである。
【００２５】
まず、クーポン番号から作成されたクーポンバーコードを入手する（ステップＳ４１）。ここでは、“１１１ＡＡ９９９ＢＢＢＢｃ／ｄ”と入手する。次いで、マスク処理したクーポンバーコードでクーポンテーブルを検索する（ステップＳ４２）。ここでは、“１１１ＡＡ９９９ＸＸＸＸＸ”とマスク処理している。
【００２６】
次いで、クーポンテーブルにアクセスして、対象クーポンの情報を取得する（ステップＳ４３）。クーポンテーブルには、複数のテーブルが体系的に蓄積されている。テーブル体系としては、例えば、「クーポンバーコード」、「対象商品コード」、「最小対象商品単価」、「成立個数」、「値引き金額」等から成っている。
【００２７】
取得した対象クーポンの情報はＰＯＳ端末１に送られ、ＰＯＳ端末１においてクーポン登録が完了する。そして、ＰＯＳ端末１において、顧客の商品購入も精算が完了する。
【００２８】
本実施形態では、ＰＯＳ端末において精算が完了すると、該当するクーポン券が発行され、商品会計の終了時に、発行したクーポン券が顧客に配布される。顧客は入手したクーポン券を利用することができるので、新たな販売促進となる。
【００２９】
本実施形態によれば、クーポンを所持していなくても、クーポン番号を利用してクーポンバーコード登録が出来、クーポン券の発行も可能となる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１・・・ＰＯＳ端末、
２・・・ドロワ、
３・・・キーボード、
４・・・モードスイッチ、
５・・・ディスプレイ、
６・・・客用ディスプレイ、
７・・・プリンタ、
８・・・レシート発行口。
【図１】
2013054663.tif 000003
【図２】
2013054663.tif 000004
【図３】
2013054663.tif 000005
【図４】
2013054663.tif 000006